(57)【要約】      （修正有）【課題】衣類等の物品を多めに入れた場合であっても、物品の容積を圧縮しコンパクトな状態を維持することが可能で、嵩張らないインナーケースを提供する。【解決手段】ケース本体２内に収納する物品を押さえ、該物品の容積を圧縮状態に維持可能な係止手段６ａ，６ｂを備えたフラップ片５ａ，５ｂが、ケース本体２に取り付けられたインナーケース１である。フラップ片５ａ，５ｂの一端が、ケース本体２の底面部２ｂと側面部２ａが交わる角部の近傍に取り付けられている。これにより、衣類等の物品の容積が圧縮され、嵩張らずにコンパクトな状態を維持しつつ、蓋４を閉じ合せることができるので、スーツケースへの出し入れも容易に行える。【選択図】図２
0003198474.tif 000002
【実用新案登録請求の範囲】
【請求項１】
ケース本体内に収納する物品を押さえて該物品の容積を圧縮状態に維持可能な係止手段を備えたフラップ片が、前記ケース本体の所要位置に取り付けられていることを特徴とするインナーケース。
【請求項２】
前記ケース本体は、収納する物品を載置する底面部と、この底面部の周囲に立設された側面部を少なくとも備え、
前記フラップ片の一端が、前記底面部と前記側面部が交わる角部の近傍に取り付けられていることを特徴とする請求項１に記載のインナーケース。
【請求項３】
前記底面部は矩形状であって、
前記フラップ片は、前記底面部と前記側面部が交わる一方の角部に取り付けられた第１フラップ片と、前記底面部と前記側面部が交わる角部のうち、前記一方の角部と対向位置にある他方の角部に取り付けられた第２フラップ片と、からなることを特徴とする請求項２に記載のインナーケース。
【請求項４】
前記第１フラップ片は、前記一方の角部の形成方向全域に取り付けられていると共に、前記第２フラップ片は、前記他方の角部の形成方向全域に取り付けられていることを特徴とする請求項３に記載のインナーケース。
【請求項５】
前記係止手段は、係止位置を変更することにより前記物品の圧縮状態を任意に調節できるように、前記第１フラップ片と前記第２フラップ片に夫々取り付けた面ファスナーであることを特徴とする請求項３又は４に記載のインナーケース。
【考案の詳細な説明】
【技術分野】
【０００１】
本考案は、例えば衣類などをスーツケース内に小分けして収納する際に用いるインナーケースに関するものである。
【背景技術】
【０００２】
スーツケースに荷物を収納するときは、あらかじめ用途等に応じて幾つかに小分けしておく方が、使用時にスーツケース内の荷物が雑然とならず整理しやすい。そこで、従来、例えば図５に示すように、衣類などをスーツケース１１内で小分けして収納するのに適した直方体状のインナーケース１２，１３，１４が利用されている（例えば、非特許文献１参照。）。
【０００３】
例えばインナーケース１２は、図６（ａ）に示すように、収納部１２ａに対し蓋１２ｂが開閉自在に取り付けられた構成である。１２ｃは、開閉手段のファスナーを示す。そして、使用時は、図６（ｂ）に示すように、ファスナー１２ｃを開いて蓋１２ｂを全開状態にし、収納部１２ａの底面１２ａａに衣類等をまとめて置き、その後ファスナー１２ｃを閉じて蓋１２ｂが収納部１２ａに閉じ合わされた状態とし、スーツケース１１内に収納する。
【０００４】
通常、このような構成のインナーケース１２，１３，１４は、スーツケース１１の中で収まりが良くなるように、縦、横、高さの各サイズが最適なものに設計されている。
【０００５】
しかし、従来のインナーケース１２は、例えば収納部１２ａの側面１２ａｂの高さを超えて衣類等を多めに入れた場合、図７に示すように、ファスナー１２ｃを閉じた後も、蓋１２ｂや側面１２ａｂが外側に膨らんだ状態となってしまい、このように想定サイズを超えた膨張状態のままスーツケース１１内に押し込めようとしても、嵩張ってスムーズに収納できないという課題がある。
【先行技術文献】
【非特許文献】
【０００６】
【非特許文献１】“旅行用５個セット  バッグインバッグ  トラベルグッズ  衣類収納ケース  インナーケース等”、［online］、楽天株式会社、［平成２７年３月２０日検索］、インターネット＜URL：http://item.rakuten.co.jp/gain-mart/baginbag-003/＞
【考案の概要】
【考案が解決しようとする課題】
【０００７】
本考案が解決しようとする課題は、インナーケースにおいて、例えばケース本体の側面部の高さを超えて衣類等の物品を入れた場合、詰め込んだ物品の容積が大きくなって蓋や側面部が外側に膨らんだ状態となり、嵩張るためにスーツケースへの出し入れがスムーズに行えない点である。
【課題を解決するための手段】
【０００８】
本考案は、上記課題を解決するために、ケース本体に衣類等の物品を多めに入れた場合であっても、物品の容積を圧縮してコンパクトな状態を維持することが可能で、嵩張ることがないインナーケースを提供することを目的としてなされたものである。
【０００９】
本考案は、
ケース本体内に収納する物品を押さえて該物品の容積を圧縮状態に維持可能な係止手段を備えたフラップ片が、前記ケース本体の所要位置に取り付けられていることを最も主要な特徴とする。
【考案の効果】
【００１０】
本考案では、ケース本体内に衣類等の物品を収納するときに、ケース本体の所要位置に取り付けられたフラップ片の係止手段を適切な位置に係止させるだけで、物品を押さえている状態を維持できる。
【００１１】
よって、本考案によれば、ケース本体に収納する物品の容積は圧縮され、嵩張らないコンパクトな状態のまま蓋を閉じることができるので、スーツケースへの出し入れも容易となる。
【図面の簡単な説明】
【００１２】
【図１】本考案のインナーケースの一例を示す図で、（ａ）は蓋を閉じた状態における正面側の斜視図、（ｂ）は蓋を閉じた状態における背面側の斜視図である。
【図２】蓋を開いた状態における本実施例のインナーケースを示す図で、（ａ）は平面図、（ｂ）は正面図である。
【図３】（ａ）は第１フラップ片のみを畳んだ状態を示す図、（ｂ）は第１フラップ片と第２フラップ片を両方畳んだ状態を示す図である。
【図４】（ａ）は両フラップ片を開いて底面部に衣類を載せた状態を示す図、（ｂ）は第１フラップ片のみを衣類の上に重ねた図、（ｃ）は第１フラップ片の上から衣類を下方向に押さえつつ、第２フラップ片を引っ張りながら面ファスナー同士を係止させる直前の図、（ｄ）は衣類を圧縮した状態で面ファスナーを係止させた状態の図である。
【図５】スーツケースに衣類を小分けして収納する従来のインナーケースの使用状態を示す図である。
【図６】従来のインナーケースを示す図で、（ａ）はファスナーを閉じた状態の斜視図、（ｂ）はファスナーを開いて蓋を全開にした状態の図である。
【図７】従来のインナーケースにおいて、収納部の側面の高さを超えて衣類を多めに入れたために、ファスナーを閉じた後も蓋や側面が外側に膨らんでいる状態を示す図である。
【考案を実施するための最良の形態】
【００１３】
本考案は、物品の容積を圧縮して嵩張ることがないインナーケースを提供するという目的を、ケース本体内に収納する物品を押さえて該物品の容積を圧縮状態に維持可能な係止手段を備えたフラップ片を、前記ケース本体の所要位置に取り付けることで実現した。
【実施例】
【００１４】
以下、本考案のインナーケースの実施例を図１〜図４を用いて詳細に説明する。図１（ａ），（ｂ）は、ファスナーを閉じた状態の斜視図である。
【００１５】
インナーケース１は、ケース本体２の側面部２ａの上部周縁に取り付けたファスナー３により、蓋４が開閉自在に取り付けられた構成である。ファスナー３を閉じた状態における形状は、図１に示すように、例えばスーツケース内で無駄な空間が生じることがないように直方体状とされている。蓋４は、収納した衣類等の種類が、蓋４を閉じた後であっても外部から容易に識別できるように全面がネットで構成されている。２ａａは、持ち運びを容易とするために取り付けた持ち手部を示す。
【００１６】
図２（ａ）は、蓋４を開いた状態におけるインナーケース１を示す平面図であり、（ｂ）は、同じく蓋４を開いた状態における正面図である。５ａ，５ｂは、ケース本体２内に収納する衣類等の物品を押さえ、収納した物品の容積を一定程度圧縮された状態に維持可能な、係止手段６ａ，６ｂを備えた第１フラップ片及び第２フラップ片を示している。
【００１７】
ケース本体２は、収納する物品を載置する底面部２ｂと、この底面部２ｂの周囲に立設された側面部２ａを備えている。側面部２ａは、内部に芯材を入れることにより強度を補強している。そして、第１フラップ片５ａ及び第２フラップ片５ｂの一端は、図２（ｂ）に示すように、いずれも底面部２ｂと側面部２ａが交わる角部２ｃ，２ｄの近傍に縫合して取り付けられている。
【００１８】
本考案では、フラップ片のケース本体に対する取り付け位置は特に限定されないが、本実施例のように、第１フラップ片５ａ、第２フラップ片５ｂの取り付け位置を底面部２ｂと側面部２ａが交わる角部２ｃ，２ｄの近傍とした場合は、底面部２ｂに載置した物品の高さによらず、常に、底面部２ｂとの間でフラップ片による押さえ力を作用させることができる。
【００１９】
また、本考案では、ケース本体の形状や、フラップ片を設ける数と配置についても、特に限定されない。もっとも、本実施例のように、底面部２ｂは矩形状とすると共に、フラップ片は、底面部２ｂと側面部２ａが交わる一方の角部２ｃに取り付けられた第１フラップ片５ａと、底面部２ｂと側面部２ａが交わる角部のうち、前記一方の角部２ｃと対向位置にある他方の角部２ｄに取り付けられた第２フラップ片５ｂとで構成した場合は、底面部２ｂに載置した衣類等の物品に対し、両サイドからバランス良くほぼ均等にフラップ片５ａ，５ｂによる押さえ力を作用させることができるので、好適である。
【００２０】
図３（ａ）は、第１フラップ片５ａのみを内側に畳んだ状態を、（ｂ）は第１フラップ片５ａと第２フラップ片５ｂを交互に内側に畳んだ状態を示している。本実施例では、フラップ片５ａ，５ｂ同士を適切な位置で係止させて底面部２ｂに載置した物品を上から押さえる係止手段として、面ファスナー６ａ，６ｂを使用している。
【００２１】
具体的には、例えば、第１フラップ片５ａの取り付け位置に近い根元付近の表面に２つ取り付けた面ファスナー６ａは、ループ型の素子を有した面ファスナーである。一方、フラップ片５ｂの先端付近の裏面に２つ取り付けた面ファスナー６ｂは、面ファスナー６ａと係止可能な鈎型の素子を有した面ファスナーである。
【００２２】
図４は、本実施例のインナーケース１に衣類Ｗを収納する手順を示している。先ず、衣類Ｗは、図４（ａ）に示すように、第１フラップ片５ａと第２フラップ片５ｂを開いた状態で底面部２ｂに載せられる。このとき、衣類Ｗの高さは、側面部２ａの高さを超えている。
【００２３】
図４（ｂ）は、第１フラップ片５ａのみを衣類Ｗの上に載せた状態を示している。この状態から、第１フラップ片５ａの上から衣類Ｗを下向きに手で押さえつつ、図４（ｃ）に示すように、第２フラップ片５ｂを引っ張りながら、第２フラップ片５ｂの面ファスナー６ｂを、第１フラップ片５ａの面ファスナー６ａの適切な位置で係止させる。すると、衣類Ｗは、図４（ｄ）に示すように、側面部２ａの高さよりも低い位置まで圧縮された状態が維持される。よって、その後ファスナー３を閉じて蓋４を閉じ合せれば、嵩張ることがない。
【００２４】
再び図２を参照すると、本実施例のインナーケース１は、第１フラップ片５ａが一方の角部２ｃの形成方向全域に取り付けられていると共に、第２フラップ片５ｂは他方の角部２ｄの形成方向全域に取り付けられている。よって、図４に示したような簡易な手順であっても、衣類の上部の全面を万遍なく均一に押さえることができるため、簡単かつ確実に衣類Ｗの容積を圧縮できる。
【００２５】
また、本実施例では、係止位置を変更するだけで底面部２ｂに載置した衣類Ｗの圧縮状態を任意に調節できるように、係止手段として、面ファスナー６ａ，６ｂを第１フラップ片５ａと第２フラップ片５ｂに夫々取り付けている。
【００２６】
より具体的には、本実施例のインナーケース１では、図２〜図３に示したような細長の矩形状の面ファスナー６ａ，６ｂを使用しており、この面ファスナー６ａ，６ｂの長手方向と、第１フラップ片５ａ及び第２フラップ片５ｂの引き出し方向の向きを一致させることで、面ファスナー６ａ，６ｂの長さの範囲内で、衣類の圧縮状態を任意に調節することができる。
【００２７】
以上説明したように、本実施例のインナーケース１は、ケース本体２内に衣類Ｗを収納するときに、第１フラップ片５ａ、第２フラップ片５ｂの係止手段６ａ，６ｂを適切な位置に係止させるだけで、各フラップ片５ａ，５ｂによって衣類Ｗを押さえている状態を維持できる。よって、衣類Ｗの容積を圧縮しコンパクトで嵩張らない状態のまま蓋４を閉じることができるので、スーツケースへの出し入れも容易に行える。
【００２８】
本考案は上記の例に限らず、各請求項に記載された技術的思想の範疇であれば、適宜実施の形態を変更しても良いことは言うまでもない。
【００２９】
例えば、上記実施例では、フラップ片に設ける係止手段として、面ファスナーを用いる例を示したが、係止手段の構成はこれに限らず、例えば、ボタン、紐、ホック、留め金具等を用いても良い。
【００３０】
また、上記実施例では、ケース本体に衣類を収納する例を示したが、本考案のインナーケースに収納する物品は衣類に限るものではない。例えば、ひざ掛け、マフラー、毛布、タオル等の柔軟な物品であれば、同様の圧縮効果が得られる。
【００３１】
また、上記実施例では、２枚のフラップ片を使用して面ファスナーによりフラップ片同士を係止させる例を示したが、フラップ片の数は１枚でも３枚以上でも良い。なお、フラップ片が１枚の場合は、ケース本体の内側に面ファスナーを設けて、フラップ片の面ファスナーと係止させても良い。
【００３２】
本考案は、ケース本体やフラップ片の素材は特に限定されず、合成繊維からなる布帛、天然繊維からなる布帛、皮革など、どのような素材を用いても良い。また、ケース本体の形状は、実施例に示したものに限らず、例えば側面部の高さ方向の中央部にて上下に開閉するタイプのものでも良い。
【００３３】
本考案のインナーケースの用途は、スーツケースへの収納に限定されず、例えば、衣替えや引っ越しの際に使用する収納ボックスへの収納に用いても良い。
【符号の説明】
【００３４】
１  インナーケース
２  ケース本体
２ａ  側面部
２ｂ  底面部
２ｃ  一方の角部
２ｄ  他方の角部
５ａ  第１フラップ片
５ｂ  第２フラップ片
６ａ  面ファスナー
６ｂ  面ファスナー
【図１】
0003198474.tif 000003
【図２】
0003198474.tif 000004
【図３】
0003198474.tif 000005
【図４】
0003198474.tif 000006
【図５】
0003198474.tif 000007
【図６】
0003198474.tif 000008
【図７】
0003198474.tif 000009